(57)【要約】【課題】  巻き紐収納部を有する本体と巻き紐と巻き紐先端の留め具からなり、巻き紐が自在に伸縮するキーホルダーにおいて、別途留め具保持部を外設することなく、留め具のずれ落ち防止が可能な範囲を広げ、機能的で実用的なキーリングを提供する。【解決手段】  巻き紐収納部を有する本体には、留め具の鍔部が挿入でき、且つ該鍔部がスライド溝を移動して所定の位置で固定される構造の長孔が設けられ、該固定位置は、留め具の柱部が隠れる凹部体が突出している。  また、留め具は、つまみ部と柱部と鍔部から構成されている。【選択図】図１
0003141304.tif 000002
【実用新案登録請求の範囲】
【請求項１】
巻き紐収納部を有する本体と巻き紐と巻き紐先端の留め具からなり、巻き紐収納部内の渦巻きバネにより巻き紐が自在に伸縮するキーホルダーにおいて、巻き紐収納部を有する本体には、長孔が設けられており、留め具の鍔部が挿入でき、且つ該鍔部がスライド溝を移動して所定の位置で固定される構造をもち、長孔の一端の鍔部を挿入できる幅は、長孔のもう一端である固定位置に至るまでに徐々に狭くなり、該固定位置は、留め具の柱部が隠れる凹部体が突出していることを特徴とするキーホルダー。
【請求項２】
留め具は、つまみ部と柱部と鍔部からなり、つまみ部には鍵が取り付けられるリングを有していることを特徴とする請求項１記載のキーホルダー。
【考案の詳細な説明】
【技術分野】
【０００１】  本考案は、鍵を保持するためのキーホルダーに関するものである。
【背景技術】
【背景技術】
【０００２】  従来、主に使用上の便宜のために、キー保持部などを紐材を介してホルダー本体内から伸縮自在としたリール式キーホルダーが一般化されている。【０００３】  また、同様のリール式キーホルダーにおいて、巻き紐先端の留め具を固定するための外付け工具が公開されている。
【考案の開示】
【０００４】  実用新案登録第３０６０２４８号
【０００５】  しかしながら、留め具に鍵をたくさん付けるとその重量で紐が垂れ下がる問題を解消するため、外付けの溝の部分に留め具を固定する方法では、その溝が短ければ、溝内に留め具を入れにくく、また簡単に外れ易く、その溝を長くすれば、その外付けの工具では外観を損ね、出っ張り部分が邪魔になり何かに引っ掛かる危険性が生じるため実用的ではなかった。
【考案が解決しようとする課題】
【０００６】  本考案は、リール式キーリング本体に、留め具が留め具挿入口よりスライド溝を通って留め具固定位置に至る構造の長孔を一体形成することによって上記問題を一蹴する。
【課題を解決するための手段】
【０００７】  請求項１に記載の考案は、巻き紐収納部を有する本体と巻き紐と巻き紐先端の留め具からなり、巻き紐収納部内の渦巻きバネにより巻き紐が自在に伸縮するキーホルダーにおいて、巻き紐収納部を有する本体には、長孔が設けられており、留め具の鍔部が挿入でき、且つ該鍔部がスライド溝を移動して所定の位置で固定される構造をもち、長孔の一端の鍔部を挿入できる幅は、長孔のもう一端である固定位置に至るまでに徐々に狭くなり、該固定位置は、留め具の柱部が隠れる凹部体が突出していることを特徴とする。
【０００８】  請求項２に記載の考案は、留め具は、つまみ部と柱部と鍔部からなり、つまみ部には鍵が取り付けられるリングを有していることを特徴とする。
【考案の効果】
【０００９】  本考案によれば、留め具挿入口は、留め具の鍔部が差し込め、鍔部の幅は柱部や孔幅より広い構造にすることで、留め具挿入口以外の孔からは留め具が抜け落ちない。
【００１０】  次に、留め具挿入口から固定位置までの長孔を固定位置に向かって徐々に狭くなっている構造にすることで、スライド溝の留め具の移動がスムーズになる。
【００１１】  また、留め具挿入口から固定位置までのスライド溝を長くすることで、留め具挿入口に向かって力が働き固定位置より留め具が多少横にずれても留め具が外れて紐が勝手に垂れ下がることを防ぎ、渦巻きバネの巻き戻す力により自動的に固定位置まで留め具がもどる効果が期待できる。
【００１２】  更に、留め具固定位置での柱部を保護するための突出した凹部体を設けることで、機能的かつ補強的にも優れている。
【考案を実施するための最良の形態】
【００１３】  巻き紐収納部を有する本体と巻き紐と巻き紐先端の留め具からなり、巻き紐が自在に伸縮するキーホルダーにおいて、巻き紐収納部を有する本体には、留め具の鍔部が挿入でき、且つ該鍔部がスライド溝を移動して所定の位置で固定される構造の長孔が設けられ、該固定位置は、留め具の柱部が隠れる凹部体が突出している。【００１４】  また、留め具は、つまみ部と柱部と鍔部からなり、つまみ部には鍵が取り付けられるリングを有している。
【実施例】
【００１５】  以下、図面を参照して本考案に係るキーホルダーの一実施例を説明する。
巻き紐収納部を有する本体１には、留め具３の鍔部１１が挿入でき、且つ該鍔部１１がスライド溝５を移動して所定の位置で固定される構造の長孔４が設けられている。
ここで、留め具３の移動を示したものが図４であり、長孔４の平面は図３に示すように、留め具挿入口６の円型の直径を最大とし、留め具固定位置７に至るまでに徐々に孔幅が狭くなる構造が望ましい。本構造により、留め具３が留め具挿入口６から留め具固定位置７の間を引っかかることなく移動することを可能にしている。【００１６】  また、留め具挿入口６から留め具固定位置７までの距離は、本体の外周の長さの１／７以上１／４以内が望ましい。本距離が１／７より短くなれば、留め具挿入口６と留め具固定位置７との距離が近づくため、留め具３が留め具挿入口６より外れやすくなり、本距離が１／４より長くなれば、長孔４のある本体側面の強度が落ちるためである。
上記の範囲内であれば、留め具挿入口６に向かって力が働くことで留め具固定位置７より留め具３が多少横にずれても紐が勝手に垂れ下がることを防ぐにとが可能である。【００１７】  更に、渦巻きバネは、巻き紐２が留め具固定位置７に向かって戻るように設置することで、留め具固定位置７より留め具３が多少横にずれても渦巻きバネの巻き戻す力により自動的に留め具固定位置７まで留め具３がもどる効果が期待できる。【００１８】  次に該留め具固定位置７には、留め具３の柱部１０が隠れる程度の図２のような凹部体８が突出していることが望ましい。柱部１０は比較的細く強度的にも弱いため、留め具固定位置７で柱部１０を保護する役割を果している。【００１９】  留め具３は、つまみ部９と柱部１０と鍔部１１からなり、つまみ部９には鍵が取り付けられるリングを有している。
ここで、柱部１０の大きさは長孔４の該留め具固定位置７の幅より若干小さくすることが望ましい。本実施例では、四角柱の柱部となっているが多角柱でも円柱でも構わない。【００２０】  次に鍔部１１は、留め具挿入口６より若干小さくしておき、該鍔部１１の幅は柱部１０や孔幅より広い構造にすることで、留め具挿入口６以外の孔からは留め具３が抜け落ちない。
また、本実施例では円形の鍔となっているが、多角形、楕円その他の形状であっても構わない。その場合、必要に応じて留め具挿入口６の形状も同形にして統一感を出しても構わない。【００２１】  本実施例は、図１及び図２のように本体の外観は円形であるが、多角形でもその他の具象形でも構わない。
また、本体の側面および裏面にベルトなどにかけるためのフックやクリップ等を組み合わせても構わない。表面に模様等を施しても構わない。
本体の材質においては、木製、プラスチック製、樹脂製のものが一般的であるが、表記以外のものでも構わない。例えば、内部の構造が透けて見える透明又は有色透明の材質であれば、機能性や実用性に加えて、デザイン性にも優れたものが実施できると考えられる。【００２２】  以上説明したように、リール式キーリング本体に、留め具３が留め具挿入口６よりスライド溝５を通って留め具固定位置７に至る構造の長孔４を一体形成することによって、別途留め具保持部を外接することなく、留め具のずれ落ち防止が可能な範囲を広げ、機能的で実用的なキーリングを提供することが可能である。このように、好ましい実施例を挙げて本考案を説明したが、本考案はその実施例に限定されるものではなく、本考案の要旨の範囲内で種々に改変できる。
【図面の簡単な説明】
【００２３】
【図１】本考案に係るキーホルダーの態様を説明する平面図である。
【図２】本考案に係るキーホルダーの態様を説明する斜面図である。
【図３】本考案に係る長孔構造の平面を説明する図である。
【図４】本考案に係る長孔構造を留め具が移動する様子を説明する図である。
【符号の説明】
【００２４】  １  本体
２  巻き紐
３  留め具
４  長孔
５  スライド溝
６  留め具挿入口
７  留め具固定位置
８  凹部体
９  つまみ部
１０  柱部
１１  鍔部
【図１】
0003141304.tif 000003
【図２】
0003141304.tif 000004
【図３】
0003141304.tif 000005
【図４】
0003141304.tif 000006